(57)【要約】    【課題】患者が看護師を呼び出して通話を成立させるために使用するハンド子機の組み立てを容易として施工性を高めるとともに、静電気の発生によるマイク孔からマイクへの影響を抑制してマイクの耐久性を高める。    【解決手段】患者が看護師を呼び出して通話を成立させるために使用するハンド子機１ａ〜４ａ、１ｂ〜４ｂ、・・・を、呼出ボタン１１０が押下、弾性復帰自在に枢着される上筐体１００と、上筐体に嵌合可能でありスピーカ１１４を当該上筐体を挟みこんで固定する下筐体１０１と、上筐体および下筐体の間に配設され、マイク１１３を上筐体に穿設させたマイク孔１１８から離間した位置に配設するための中枠１０２とで形成する。また、握りボタン、特殊子機等のナースコール呼出器を接続するためのレセプタクル１１７を、ハンド子機を形成する中枠のレセプタクル固定部１０２ｂに固定する。さらに、呼出ボタンの操作により駆動される呼出スイッチ１１０ａを搭載した基板１３０を、ハンド子機を形成する中枠に装着する。  【選択図】図３
2006109348.tif 000002
【特許請求の範囲】
【請求項１】
患者が看護師を呼び出して通話を成立させるためのハンド子機（１ａ〜４ａ、１ｂ〜４ｂ、・・・）と、前記ハンド子機に接続されるプレート子機（１１ａ〜１４ａ、１１ｂ〜１４ｂ、・・・）と、前記プレート子機に接続され前記ハンド子機からの呼び出しを看護師に知らせるための廊下灯（３０ａ、３０ｂ、・・・）と、前記患者からの呼び出しに応答するためのナースコール親機（４０）と、前記ナースコール親機および前記廊下灯を制御するための制御機（５０）とを備え、
前記ハンド子機は、嵌合可能な上筐体（１００）および下筐体（１０１）と、前記上筐体および前記下筐体の間に配設される中枠（１０２）とで形成され、前記呼び出しのための呼出ボタン（１１０）、前記通話を成立させるためのマイク（１１３）およびスピーカ（１１４）を有し、
前記呼出ボタンは、前記上筐体に押下、弾性復帰自在に枢着され、
前記スピーカは、前記上筐体および前記下筐体の間に挟み込んで固定され、
前記マイクは、前記中枠に装着され、前記上筐体に穿設されたマイク孔（１１８）から離間されて配設されることを特徴とするナースコール装置。
【請求項２】
前記ハンド子機には、握りボタン、特殊子機等のナースコール呼出器（２１ａ〜２４ａ、２１ｂ〜２４ｂ、・・・）が接続され、
前記中枠は、前記ナースコール呼出器を接続するためのレセプタクル（１１７）を固定するレセプタクル固定部（１０２ｂ）を有することを特徴とする請求項１記載のナースコール装置。
【請求項３】
前記中枠には、前記呼出ボタンの操作により駆動される呼出スイッチ（１１０ａ）を搭載した基板（１３０）が装着されることを特徴とする請求項１または請求項２記載のナースコール装置。
【発明の詳細な説明】
【技術分野】
【０００１】
本発明は病院や看護施設等に設置されるナースコール装置に係り、特に、患者が看護師を呼び出して通話を成立させるために使用する機器の施工性および耐久性を高めたナースコール装置に関する。
【背景技術】
【０００２】
従来から、マイクを容易に挿入でき、しかも挿入したマイクを前方向に押圧して確実に保持固定して、マイクのハウリングを防止させたハンズフリーインターホンの固定構造が開示されている（例えば、特許文献１を参照。）。
【０００３】
従来例の固定構造によれば、マイクを、（ハンズフリーインターホンを形成する）ベース本体の内面適所に形成されたマイク挿入部に挿入し、このベース本体にカバー体を被せて当該マイクを保持固定する構造であった。
【０００４】
【特許文献１】特開２００１−２６８６７８号公報（段落番号００３２〜００６７、図１、図２）
【発明の開示】
【発明が解決しようとする課題】
【０００５】
しかしながら、従来例の固定構造を有するハンズフリーインターホンを、病院や看護施設等に設置されるナースコール装置を構成するハンド子機に適用すると、嵌合可能な上筐体（カバー体と同意。）および下筐体（ベース本体と同意。）の間にマイクが挟み込まれて固定（保持固定と同意。）されるため、このマイクと図示しない基板との結線が困難となるばかりでなく、マイクと上筐体に穿設されたマイク孔（マイク穴と同意。）との間の距離が近接しているため、静電気の影響を受けやすく破損や故障等の発生の原因となりマイクの耐久性が低下していた。
【０００６】
本発明は、前述の難点を解消するためになされたもので、患者が看護師を呼び出して通話を成立させるために使用するハンド子機の組み立てを容易として施工性を高めるとともに、静電気の発生によるマイク孔からマイクへの影響を抑制してマイクの耐久性を高めたナースコール装置を提供することを目的としている。
【課題を解決するための手段】
【０００７】
前述の目的を達成するため、本発明のナースコール装置は、患者が看護師を呼び出して通話を成立させるためのハンド子機と、ハンド子機に接続されるプレート子機と、プレート子機に接続されハンド子機からの呼び出しを看護師に知らせるための廊下灯と、患者からの呼び出しに応答するためのナースコール親機と、ナースコール親機および廊下灯を制御するための制御機とを備え、ハンド子機は、嵌合可能な上筐体および下筐体と、上筐体および下筐体の間に配設される中枠とで形成され、呼び出しのための呼出ボタン、通話を成立させるためのマイクおよびスピーカを有し、呼出ボタンは、上筐体に押下、弾性復帰自在に枢着され、スピーカは、上筐体および下筐体の間に挟み込んで固定され、マイクは、中枠に装着され、上筐体に穿設されたマイク孔から離間されて配設されるものである。
【０００８】
また、本発明のナースコール装置において、ハンド子機には、握りボタン、特殊子機等のナースコール呼出器が接続され、中枠は、ナースコール呼出器を接続するためのレセプタクルを固定するレセプタクル固定部を有している。
【０００９】
また、本発明のナースコール装置において、中枠には、呼出ボタンの操作により駆動される呼出スイッチを搭載した基板が装着されている。
【発明の効果】
【００１０】
本発明のナースコール装置によれば、患者が看護師を呼び出して通話を成立させるための機器として使用されるハンド子機を、呼び出しのための呼出ボタンが押下、弾性復帰自在に枢着される上筐体と、上筐体に嵌合可能であり通話成立のためのスピーカを当該上筐体を挟みこんで固定する下筐体と、上筐体および下筐体の間に配設され、通話成立のためのマイクを上筐体に穿設させたマイク孔から離間した位置に配設するための中枠とで形成することにより、当該ハンド子機の組み立てが容易となり施工性が高められるばかりでなく、上筐体に穿設させたマイク孔からマイクへの距離が確保されるため、静電気が発生した場合でも、この影響を受け難く破損や故障等の発生の原因とならずマイクの耐久性を高めることができる。
【００１１】
また、本発明のナースコール装置において、患者が看護師を呼び出して通話を成立させるための機器として使用するハンド子機には、握りボタン、特殊子機等のナースコール呼出器を接続することができ、このナースコール呼出器を接続するにあたりハンド子機に設けられるレセプタクルは、中枠のレセプタクル固定部に固定されるため、当該ハンド子機に衝撃等が発生した場合でもレセプタクルを保護することができる。
【００１２】
さらに、本発明のナースコール装置において、患者が看護師を呼び出して通話を成立させるための機器として使用するハンド子機を形成する中枠には、呼出ボタンの操作により駆動される呼出スイッチを搭載した基板が装着されるため、当該ハンド子機に衝撃等が発生した場合でも基板を保護することができる。
【発明を実施するための最良の形態】
【００１３】
以下、本発明のナースコール装置を適用した最良の実施の形態例について、図面を参照して説明する。
【００１４】
図１は、本発明の実施例によるナースコール装置の全体構成を示すシステム説明図である。
【００１５】
図１のシステム説明図に示すナースコール装置は、病院や看護施設等、ここでは、病院において、「Ａ号室」、「Ｂ号室」、・・・のような病室内の被看護人、例えば、病室内の患者が、看護人、例えば、ナースステーション内に在室中の看護師に対して通常のナースコール呼び出し、トイレ介助要求、点滴の投与に関する不具合や終了を知らせる等の呼出種別毎で異なる所定の操作を行うとともに、これらの操作を行った患者が看護師との間で通話を成立させるための音声（送話音声、受話音声）を入出力するハンド子機、ここでは、病室毎４台のベッドにそれぞれ割り当てられたハンド子機１ａ〜４ａ、１ｂ〜４ｂ、・・・と、病室内のベッド毎、所定の位置として、例えば、病室コンソールに固定され個別の子機番号を有しており、前述のハンド子機１ａ〜４ａ、１ｂ〜４ｂ、・・・、または後述するナースコール呼出器２１ａ〜２４ａ、２１ｂ〜２４ｂ、・・・が接続、例えば、着脱自在に接続されるプレート子機１１ａ〜１４ａ、１１ｂ〜１４ｂ、・・・と、前述のハンド子機１ａ〜４ａ、１ｂ〜４ｂ、・・・、またはプレート子機１１ａ〜１４ａ、１１ｂ〜１４ｂ、・・・に接続、例えば、着脱自在で接続されベッドまでの可搬性を有しており、ハンド子機１ａ〜４ａ、１ｂ〜４ｂ、・・・と同様、患者が看護師に対して呼出種別毎で異なる所定の操作を行うための握りボタン、特殊子機等のナースコール呼出器２１ａ〜２４ａ、２１ｂ〜２４ｂ、・・・と、病室毎に設置、例えば、病室の出入口近傍や廊下先に設置され個別の廊下灯番号を有しており、子機ラインＬ1a〜Ｌ4a、Ｌ1b〜Ｌ4b、・・・をぞれぞれ介して接続されたプレート子機１１ａ〜１４ａ、１１ｂ〜１４ｂ、・・・からの呼出データ（呼出信号）を検出し、廊下灯ラインＬ10を介して後述する制御機（ナースコール制御機）５０に送出するとともに、検出された患者からの呼び出しを病室の出入口近傍や廊下先に居る看護師に知らせるための廊下灯３０ａ、３０ｂ、・・・と、ナースステーション内に設置されており、後述する制御機５０の制御によって患者からの呼び出しがあることを呼出種別毎異なるパターンで報知するための呼出報知機能、この呼び出しに応答した看護師が患者との間で通話を成立させるための音声（送話音声、受話音声）を入出力する通話機能を有するナースコール親機４０と、廊下灯ラインＬ10を介して廊下灯３０ａ、３０ｂ、・・・、親機ラインＬ11を介してナースコール親機４０をそれぞれ接続する中継器としてナースステーション内、または病院（病院内）の共用部に設置されており、これら接続された機器をそれぞれ制御するための制御機５０とを備えている。
【００１６】
図２は、本発明の実施例によるナースコール装置において、ハンド子機１ａ〜４ａ、１ｂ〜４ｂ、・・・の外観構成を示す斜視図である。
【００１７】
図２の斜視図において、ハンド子機１ａ〜４ａ、１ｂ〜４ｂ、・・・はそれぞれ同様な構成であり、嵌合可能な上筐体１００および下筐体１０１にて形成されている。
【００１８】
ハンド子機１ａ〜４ａ、１ｂ〜４ｂ、・・・は、上筐体１００に押下、弾性復帰自在に枢着されており、当該ハンド子機の使用である患者が前述の呼出種別のうち、通常のナースコール呼び出しを行うための呼出ボタン１１０、トイレ介助要求を行うためのトイレ介助ボタン１１１、点滴の投与に関する不具合や終了を知らせるための点滴ボタン１１２と、嵌合された上筐体１００および下筐体１０１の当該筐体内に内蔵され、当該ハンド子機の使用である患者が看護師との間で通話を成立させるための音声（送話音声、受話音声）を入出力するマイク１１３およびスピーカ１１４と、当該ハンド子機をプレート子機１１ａ〜１４ａ、１１ｂ〜１４ｂのレセプタクル（図示せず）に接続、例えば、着脱自在で接続するためのプラグ１１５と、プラグ１１５および後述する基板１３０の間を結線するための延設コード１１６と、当該ハンド子機にナースコール呼出器２１ａ〜２４ａ、２１ｂ〜２４ｂのプラグ（符号は付与せず）を接続、例えば、着脱自在で接続するためのレセプタクル１１７と、上筐体１００に穿設された（マイク１１３の）マイク孔１１８および（スピーカ１１４の）スピーカ孔１１９と、嵌合された上筐体１００および下筐体１０１によって形成される（レセプタクル１１７の）レセプタクル孔１２０とを有している。
【００１９】
図３は、本発明の実施例によるナースコール装置において、ハンド子機１ａ〜４ａ、１ｂ〜４ｂ、・・・の具体的な構造を示す分解斜視図である。
【００２０】
図３の分解斜視図において、ハンド子機１ａ〜４ａ、１ｂ〜４ｂ、・・・はそれぞれ同様な構造であり、前述の嵌合可能な上筐体１００および下筐体１０１と、嵌合された上筐体１００および下筐体１０１の間に配設される中枠１０２とで形成され、中枠１０２を覆隠可能な可撓性を有するカバー、例えば、ゴムカバー１０３を有している。
【００２１】
ハンド子機１ａ〜４ａ、１ｂ〜４ｂ、・・・を形成する上筐体１００には、呼出ボタン１１０、トイレ介助ボタン１１１および点滴ボタン１１２がそれぞれ押下、弾性復帰自在に枢着されている。
【００２２】
また、ハンド子機１ａ〜４ａ、１ｂ〜４ｂ、・・・を形成する下筐体１０１には、中枠１０２を筐体内の所定の位置に位置決めして配設し、嵌め込んで固定するにあたり、当該下筐体の内面側より（左右対称に）対向して成形リブ１０１ａ、１０１ａが突設されている。
【００２３】
また、ハンド子機１ａ〜４ａ、１ｂ〜４ｂ、・・・を形成する中枠１０２には、呼出ボタン１１０の操作により駆動される呼出スイッチ１１０ａ、トイレ介助ボタン１１１の操作により駆動される介助スイッチ１１１ａおよび点滴ボタン１１２の操作により駆動される点滴スイッチ１１２ａを所定の位置にそれぞれ搭載した基板１３０が装着されており、この中枠１０２の上部（上部側）にはスピーカ１１４が配設される。
【００２４】
さらに、ハンド子機１ａ〜４ａ、１ｂ〜４ｂ、・・・を形成する中枠１０２の底部（底部側）には、マイク１１３を固定するためのマイク固定部１０２ａとレセプタクル１１７を固定するためのレセプタクル固定部１０２ｂとを有しており、マイク１１３をマイク固定部１０２ａに固定するにあたり、当該マイクは、上筐体１００に穿設されたマイク孔１１８から離間した位置に配設される。
【００２５】
なお、図４は、ハンド子機１ａ〜４ａ、１ｂ〜４ｂ、・・・を形成する中枠１０２と、マイク固定部１０２ａおよびレセプタクル固定部１０２ｂと、マイク固定部１０２ａに固定されたマイク１１３と、中枠１０２の上部（上部側）に配設されたスピーカ１１４と、レセプタクル固定部１０２ｂに固定されたレセプタクル１１７と、中枠１０２に装着された基板１３０とを背面（背面側）からみた場合の構造を示す要部斜視図である。
【００２６】
次に、本発明の実施例によるナースコール装置において、ハンド子機１ａ〜４ａ、１ｂ〜４ｂ、・・・の組み立て方法について説明する。
【００２７】
図３の分解斜視図に示すハンド子機１ａ〜４ａ、１ｂ〜４ｂ、・・・において、呼出スイッチ１１０ａ、介助スイッチ１１１ａおよび点滴スイッチ１１２ａを所定の位置にそれぞれ搭載した基板１３０を、中枠１０２に装着した後、この中枠１０２の上部（上部側）に配設させたスピーカ１１４と、当該中枠の底部（底部側）のマイク固定部１０２ａ、レセプタクル固定部１０２ｂにそれぞれ固定させたマイク１１３、レセプタクル１１７と、プラグ１１５に接続された延設コード１１６とを、コネクタ等を利用して基板１３０へと容易に結線することができる。
【００２８】
前述のような基板１３０への結線の後、下筐体１０１の内面側より（左右対称に）対向して突設されている成形リブ１０１ａ、１０１ａを利用して筐体内の所定の位置に中枠１０２を嵌め込み固定し、この中枠１０２をゴムカバー１０３で覆隠させた後、当該中枠の上部（上部側）に配設されたスピーカ１１４を上筐体１００および下筐体１０１の間に挟み込んで固定することにより、図２の斜視図に示すようなハンド子機１ａ〜４ａ、１ｂ〜４ｂ、・・・を完成することができ、組み立てが容易であり施工性が高められるばかりでなく、マイク固定部１０２ａに固定させたマイク１１３と上筐体１００に穿設されたマイク孔１１８との距離が確保されることから、静電気が発生した場合でも、この影響を受け難く破損や故障等の発生の原因とならずマイク１１３の耐久性を高めることができる。
【００２９】
また、前述のように、中枠１０２がゴムカバー１０３で覆隠されることにより、静電気の発生によるマイク１１３への影響をさらに抑制することができ、マイク１１３の耐久性がより高められる。
【００３０】
なお、図３の分解斜視図に示す構造を有するハンド子機１ａ〜４ａ、１ｂ〜４ｂ、・・・を組み立てて図２の斜視図に示すように完成させた後、ナースコール呼出器２１ａ〜２４ａ、２１ｂ〜２４ｂのプラグ（符号は付与せず）を当該ハンド子機のレセプタクル１１７に接続、例えば、着脱自在で接続するにあたり、このレセプタクル１１７は、中枠１０２のレセプタクル固定部１０２ｂに固定されているため、当該ハンド子機に衝撃等が発生した場合でもレセプタクル１１７を保護することができる。
【００３１】
また、ハンド子機１ａ〜４ａ、１ｂ〜４ｂ、・・・を形成する中枠１０２には、前述のように基板１３０が装着されるため、当該ハンド子機に衝撃等が発生した場合でも基板１３０を保護することができる。
【産業上の利用可能性】
【００３２】
本発明の実施例によるナースコール装置では、病院や看護施設等、ここでは、病院において、「Ａ号室」、「Ｂ号室」、・・・のような病室内に設置されるハンド子機、プレート子機およびナースコール呼出器を、それぞれ４台づつとしたが、この台数に限定されず、個室として病室を使用する場合には単一台、または大部屋として病室を使用する場合にはより複数台のように、病室毎で任意の台数をそれぞれ設置することができる。
【００３３】
また、本発明の実施例によるナースコール装置では、制御機５０の制御によって呼出報知および通話を成立させることができる機器として、ナースステーション内に設置されたナースコール親機４０を適用したが、このナースコール親機４０に限定されず、制御機５０によって制御される複数の無線端末（携帯端末）、基地局および交換機等を設け、呼出元の患者を受け持つ病院内を巡回中の看護師により携行されている無線端末（携帯端末）にて呼出報知および通話を成立させることもでき、ナースコール親機の構成としては、図１のシステム説明図に示すような呼出報知のための表示機能および放音機能が別途に設けられ通話機能を有するパーソナルコンピュータ／インターホン型のナースコール親機４０のみならず、呼出報知機能および通話機能が一体的に構成されたボード型のナースコール親機の適用も好適である。
【図面の簡単な説明】
【００３４】
【図１】本発明の実施例によるナースコール装置の全体構成を示すシステム説明図。
【図２】本発明の実施例によるナースコール装置において、ハンド子機の外観構成を示す斜視図。
【図３】本発明の実施例によるナースコール装置において、ハンド子機の具体的な構造を示す分解斜視図。
【図４】本発明の実施例によるナースコール装置において、ハンド子機を形成する中枠の具体的な構造を背面（背面側）からみた場合の要部斜視図。
【符号の説明】
【００３５】
１ａ〜４ａ、１ｂ〜４ｂ、・・・ ……ハンド子機
１００……上筐体
１０１……下筐体
１０２……中枠
１１０……呼出ボタン
１１０ａ……呼出スイッチ
１１３……マイク
１１４……スピーカ
１１７……レセプタクル
１１８……マイク孔
１３０……基板
１１ａ〜１４ａ、１１ａ〜１４ａ、・・・ ……プレート子機
２１ａ〜２４ａ、２１ｂ〜２４ｂ、・・・ ……ナースコール呼出器
４０……ナースコール親機
５０……制御機
【図１】
2006109348.tif 000003
【図２】
2006109348.tif 000004
【図３】
2006109348.tif 000005
【図４】
2006109348.tif 000006